(57)【要約】      （修正有）【課題】展示会の実演会場及び学会の発表会場等における発表時刻を事前に予告するサインスタンドに関するもので、遠方からでも良く見える効果対費用のバランスに優れた７セグメントＬＥＤモジュール方式のサインスタンドを提供する。【解決手段】時刻表示付きサインスタンド１は、次回の実演時刻を案内する時刻表示部分に４個の７セグメントＬＥＤモジュール６ａ、６ｂ、６ｃ、６ｄを横一列に配置、横一列４個の７セグメントＬＥＤモジュール６ａ、６ｂ、６ｃ、６ｄの中央部にコロンの表示を行うＬＥＤ素子８、９を２個を縦、上下に配置、かつ演色光フィルターを当該７セグメントＬＥＤモジュール６ａ、６ｂ、６ｃ、６ｄ光源の前面に配置したことを特徴とする。【選択図】図１
2013015469.tif 000002
【特許請求の範囲】
【請求項１】
アルミニウムの枠体の上部に時刻表示ボックスを配置したサインスタンドにおいて、当該時刻表示ボックスの中央位置に７セグメントＬＥＤモジュール４個を横一列に配置、横一列４個の７セグメントＬＥＤモジュールの中央位置にＬＥＤ素子２個を上下に配置、かつ４個の７セグメントＬＥＤモジュールのそれぞれに対応するロータリースイッチを当該時刻表示ボックスに配置したことを特徴とする時刻表示付きサインスタンド。
【請求項２】
７セグメントＬＥＤモジュール４個の前面を覆う演色光フィルターを配置したことを特徴とする請求項１に記載の時刻表示付きサインスタンド。
【発明の詳細な説明】
【技術分野】
【０００１】
本発明は、展示会の実演会場、学会の発表会場及び冠婚葬祭式場、旅館、ホテル等の常設会場のサインスタンド等において、行事の開始時刻と題目あるいは発表者等を事前に予告するための時刻表示付きサインスタンドに関する。
【背景技術】
【０００２】
展示会の実演会場等において、実演開始時刻を知らせる時刻表示付きサインスタンドに関しては、紙媒体に印刷したもの、あるいは手書きの案内状を掲示するためのサインスタンドが考案されている（特許文献１参照）。
また、キーボード入力による電子デジタル信号を液晶ディスプレイ、プラズマディスプレイ及びブラウン管で表示する電光表示装置のサインスタンドがある（特許文献２参照）。
【特許文献１】特開２００４−３６１７６３号公報
【特許文献１】特開平６−２５０６１７号公報
【０００３】
特許文献１に示した紙媒体にパーソナルコンピュータで印刷したものあるいは手書きした案内状を掲示するサインスタンドが、手軽に設置でき安価である等の利点から一般的である。
また、冠婚葬祭式場、旅館、ホテル等の常設会場の行事案内装置としては、高級感を演出でき、遠隔操作で迅速に対応できる等の利点から電子式電光表示装置を採用する会場も多くある。
【発明の開示】
【発明が解決しようとする課題】
【０００４】
前記した特許文献１のサインスタンドは安価に手軽に製作できる利点はあるが、見栄え不足があり、高級感、信頼感不足の欠点があった。
また、一般の行事会場での使用の場合は、少なくとの15ｍ以上の距離から開始時刻を見える要望があったが、従来の液晶表示によるサインスタンドでは対応できない課題があった。
【０００５】
前記した特許文献２の電子式電光表示装置は、見栄えはあるが、高額であり、キーボード入力等の取り扱いに高度の訓練を要する。また動作させるための交流電源コンセントの用意、重量物である等の課題があった。
【０００６】
本発明は前記した課題に鑑み、両者の欠点を補った、時刻表示付きサインスタンドを提供するにある。
時刻表示付きサインスタンドの所期の目的である開始時刻の明示を特徴に比較的安価で見栄えのある時刻表示付きサインスタンドを提供するものである。
【課題を解決するための手段】
【０００７】
上記した目的を達成するため、本発明では、開始時刻の表示部に大型の７セグメントＬＥＤモジュール回路基板を内蔵した時刻表示ボックスを採用、スタンド部に高級感、信頼感のあるアルミフレームの枠体を採用したことを特徴としている。
【０００８】
さらに、時刻表示部を顕在化するために７セグメントＬＥＤモジュールの前面を覆う演色光フィルターを配置したことを特徴とする。
【発明の効果】
【０００９】
上記の課題解決手段による作用は次の通りである。
特許文献１と比較すると、時刻表示部に大型の７セグメントＬＥＤ光源を採用したので、高輝度であるＬＥＤの作用により祭事場で必要としていた15ｍ以上離れた所からも祭事の開始時刻が良く見える効果がある。
７セグメントＬＥＤモジュールによるデジタル表示の電子式電光表示装置であるので、高級感、信頼感を演出できる。
【００１０】
また、特許文献２の電子式電光表示装置と比較すると、高度な電子部品の採用はないので、大幅に低価格に製作できる。ＬＥＤは消費電力が小さく、直流電源の乾電池で動作するので、交流電源コンセントは不要である。また比較的軽量であるので設置あるいは移動が容易である等の効果がある。
【００１１】
さらに、時刻設定は、４個のロータリースイッチを手動でそれぞれ回転する機構を採用しているので、スイッチを回転するだけで、取り扱いのための高度な訓練がなくても、誰でも迅速に時刻切り換えの操作ができる効果がある。
【００１２】
請求項２の採用により、ＬＥＤ光源で点灯しているセグメント部とその他周辺とのコントラストが強調されるので、行事開始時刻が明瞭に見える効果がある。
【図面の簡単な説明】
【００１３】
【図１】本発明の第一の実施形態を説明するための斜視図の正面図である。
【図２】本発明の第一の実施形態を説明する斜視図、図１の背面図である。
【図３】本発明の第一の実施形態のＬＥＤモジュール回路基板を説明するブロック図である。
【図４】本発明の第二の実施形態を説明する構成図。
【発明を実施するための最良の形態】
【００１４】
以下、本発明の実施の形態を図１〜図４に基づいて説明する。
【実施例】
【００１５】
図１は、本発明の第一の実施例である時刻表示付きサインスタンド１の構成図である。
本発明は、アルミニウムフレームで構成する枠体２と中央部に７セグメントＬＥＤモジュール４個を配置する時刻表示ボックス３及び案内パネル４で形成される。          
【００１６】
図１において、時刻表示ボックス３のほぼ中央位置に７セグメントＬＥＤモジュール４個、    ６ａ，６ｂ，６ｃ，６ｄを横一列に配置、次回の行事開始時刻を表示している。
４個の７セグメントＬＥＤモジュール、６ａ、６ｂ、６ｃ、６ｄは、ＬＥＤモジュール回路基板６に配置され、６ａ、６ｂで時刻を表示、６ｃ，６ｄで分を表示する。
【００１７】
横一列４個の７セグメントＬＥＤモジュールの中央部に２個のＬＥＤ素子を縦一列、上下に配置、時間単位と分単位の表示部分を分離するためのコロン印の表示をＬＥＤ素子８，９の常時点灯で表示している。
【００１８】
また、時刻表示ボックス３には、付属品として、現在時刻を表示する時計５を設置することで、来場者への便利性を高めている。
【００１９】
時刻表示ボックス３の４個からなる７セグメントＬＥＤモジュールの上部には「次回の開演」あるいは「次回の講演」等のキーワードを表示したシートを差し換える案内ボックス１０を備えてある。
例えば、レストラン等への応用例としては、「只今の待ち時間」との表示を案内ボックス１０に入れて店頭で案内することもできる。
【００２０】
案内パネル４は時刻表示ボックス３に併設して下部に配置してある。例えば、案内パネル４には講師名、演題等を記載するのが一般的である。
なお、この部分は、来場者への便利性を高めるための二次的な要素であるので、省略しても良い。
【００２１】
図２は、本発明の第一の実施例、図１の背面図である。
図２において、７ａ，７ｂ，７ｃ，７ｄは、時刻表示を設定するためのロータリースイッチのつまみ部、時刻表示ボックス３の上面に設置して時刻設定の操作に便利にしてある。
【００２２】
図２に示す７ａは、０，１，２の３数字を表示すれば良いので、３接点のロータリースイッチが必要である。７ｂと７ｄは、０〜９までの１０数字の表示が必要であるので、１０接点のロータリースイッチを設置する必要がある。また、７ｃは、０〜５までの６数字の表示が必要であるので、６接点のロータリースイッチが必要である。
これらのロータリースイッチは、ＬＥＤモジュール回路基板６上の７セグメントＬＥＤモジュールを駆動するための論理回路の入力端子にそれぞれ配線されている。
【００２３】
図３は、時刻表示ボックス３内の７セグメントＬＥＤモジュールを点灯するＬＥＤモジュール回路基板６のブロック図である。
ブロック図は、７セグメントＬＥＤモジュール４個及びＬＥＤ素子２個からなる時刻表示回路  １１、論理回路１２、時刻設定回路１３及び直流電源回路１４から構成されている。
時刻設定回路１３のロータリースイッチ４個で行事の開始時刻を設定すると、論理回路１２を  通して、４個の７セグメントＬＥＤモジュール６ａ、６ｂ、６ｃ、６ｄを所期した数字（開始時刻と分）に点灯させることができる。
【００２４】
なお、時刻と分を分けているＬＥＤ素子２個８，９は、電源スイッチを入れた時点で点灯するようになっている。
また、電源回路は、直流電源回路で消費電力が少ないので、乾電池ボックス等で構成してある。
【００２５】
本発明の第二の実施例を図４により説明する。
ＬＥＤモジュール回路基板６の時刻表示回路１１の前面には、演色光フィルター２３を配置してある。
図４の２１，２２は、７セグメントＬＥＤモジュール２個（時刻表示部あるいは分表示部）を
分解して示したもので、ＬＥＤ基板２１にプラスチック樹脂の光拡散構造体２２をかぶせて７セグメントＬＥＤジュールを構成している。
ＬＥＤ基板２１の７セグメントには、それぞれのセグメントにＬＥＤ素子を配置、ＬＥＤ素子
はロータリースイッチの設定に対応して点灯する。
各ＬＥＤ素子からの光は高輝度の直線性に優れている光線である。光拡散構造体２２は、各セグメントを棒状の面として見えるようするために、当該光線を光拡散構造体２２に追突させて、拡散してセグメント部を見え易くする工夫をしたものである。
【００２６】
光拡散構造体２２は、光を拡散する手段として透明ビーズ、無機フィラー等の物質を内包する透明体あるいは半透明体を用いているので、全体的に数字８が白濁したように見え、設定した数字（点灯した数字）が顕在化しにくい。
【００２７】
２３は、アクリル樹脂の演色光フィルターで、光拡散構造体２２の前面に配置してある。
このように７セグメントＬＥＤモジュールの前面に演色光フィルター２３を配置することにより、全体的に、白濁したように見えた８の数字の中で、ロータリースイッチで設定したＬＥＤ素子の点灯箇所（図４では、数字の１）が浮き出て見える。すなわち、白濁して見えていたセグメント部分（ＬＥＤ素子が点灯していないセグメント）が、演色光フィルター２３で隠され、コントラストを大きくする効果がある。
上記説明のコントラストの観点からは、演色光フィルター２３の色相は、ＬＥＤ素子光源と同色にするのが好適である。
【００２８】
別の観点からは、ＬＥＤ素子光源と異なる色相を選定した場合は、光源色と異なる色相となるので、会場毎の趣向に併せて、該演色フィルターを選定できる利点もある。
【産業上の利用可能性】
【００２９】
展示会の実演会場、学会の発表会場及び冠婚葬祭式場、旅館、ホテル等の常設会場のサインスタンド等において、行事の開始時刻と題目あるいは発表者等を事前に予告するための時刻表示付きサインスタンド等をより簡便にして操作性の良い表示装置ならびに案内板、案内表示器、誘導装置などの表示部をより見易くすることができる。
【００３０】
本発明は、展示会場での実演開始時刻を事前に知らせるサインスタンドに関するものである。応用例として、銀行の窓口及びレストラン等の待ち時間の表示にも利用できる。
【符号の説明】
【００３１】
１                時刻表示付きサインスタンド
２                枠体
３                時刻表示ボックス
４                案内パネル
６                ＬＥＤモジュール回路基板
６ａ〜６ｄ        ７セグメントＬＥＤモジュール
７ａ〜７ｄ        ロータリースイッチ
８、９            ＬＥＤ素子
１０              案内ボックス
１１              時刻表示回路
１２              論理回路
１３              時刻設定回路
１４              直流電源回路
２１              ＬＥＤ基板
２２              光拡散構造体
２３              演色光フィルター
【図１】
2013015469.tif 000003
【図２】
2013015469.tif 000004
【図３】
2013015469.tif 000005
【図４】
2013015469.tif 000006